(57)【要約】【課題】  切断力が強力な機構を維持しつつ、コンパクトなものに折り畳むことができるようにして、持ち運びや保管に非常に便利な切断具を提供する。【解決手段】  中間部を回動自在に連結した一対の切断部材１、２と、先端部を回動自在に連結した一対のハンドル３、４とからなり、前記ハンドル３、４の連結部Ｃ1 が切断部材１、２の略下半部で囲まれる空間Ｓを出入りするようにして、前記切断部材１、２の後端部をハンドル３、４の中間部に回動自在に連結したものとし、前記ハンドル３、４を回動操作して折り返したときに、ハンドル３、４が切断部材１、２の外側部に沿うようにしている。【選択図面】    図３
2006034338.tif 000002
【特許請求の範囲】
【請求項１】
中間部を回動自在に連結した一対の切断部材（１、２）と、先端部を回動自在に連結した一対のハンドル（３、４）とからなり、前記ハンドル（３、４）の連結部（Ｃ1 ）が切断部材（１、２）の略下半部で囲まれる空間（Ｓ）を出入りするようにして、前記切断部材（１、２）の後端部をハンドル（３、４）の中間部に回動自在に連結したものとし、前記ハンドル（３、４）を回動操作して折り返したときに、ハンドル（３、４）が切断部材（１、２）の外側部に沿うようにしたことを特徴とする切断具。
【請求項２】
中間部を約９０度までの回動角で回動自在に連結した一対の切断部材（１、２）と、先端部を約３６０度までの回動角で回動自在に連結した一対のハンドル（３、４）とからなり、前記ハンドル（３、４）の連結部（Ｃ1 ）が切断部材（１、２）の略下半部で囲まれる空間（Ｓ）を出入りするようにして、前記切断部材（１、２）の後端部をハンドル（３、４）の中間部に約１８０度までの回動角で回動自在に連結したものとし、前記ハンドル（３、４）の先端部の回動角が３６０度に近付けるように回動操作することにより、ハンドル（３、４）が切断部材（１、２）の外側部に沿うようにしたことを特徴とする切断具。
【請求項３】
前記切断部材（１、２）のそれぞれの長さ（Ｌ1 ）と、ハンドル（３、４）の中間部の連結部（Ｃ2 ）からハンドル（３、４）の後端部までのそれぞれの長さ（Ｌ2 ）を略同一寸法にしたことを特徴とする請求項１または２記載の切断具。
【発明の詳細な説明】
【技術分野】
【０００１】
この発明は、ビルや住宅等の天井工事などに用いられる野縁を切断したり、エアコンの配線や配管を防護するエアコンダクトや、パイプ、電線、庭木の枝などを切断する切断具に関するものである。
【背景技術】
【０００２】
従来、この種の切断具としては、例えば図１０〜図１２に示したように、ピン１０を中心として開閉できる一対のハンドル１１、１２、ピン１３を中心として開閉できる一対の切断刃１４、１５からなるものが存在する。これらの切断刃１４、１５の下端部は、ハンドル１１、１２の上外端部とピン１６、１７により連結されているため、図１１のようにハンドル１１、１２を開くと切断刃１４、１５も開き、図１０のようにハンドル１１、１２を閉じると切断刃１４、１５も閉じるようになっている。また、図１２に示したように、一方の切断刃１４の上下２個所には凹溝１８、１８が設けられている。これらの凹溝１８、１８の間隔は、野縁受け１９の上下の突出部の間隔と等しく設定したものとしている（特許文献１）。
【特許文献１】登録実用新案第３０１７１５９号公報（第５頁、図１〜図３）
【発明の開示】
【発明が解決しようとする課題】
【０００３】
上記従来の切断具は、ハンドル１１、１２、切断刃１４、１５とピン１０、１３、１６、１７で４節リンク機構を構成しているため、切断力が強力なものとなるという利点を有する。
【０００４】
しかしながら、上記従来の切断具は、図１０に示した状態から、ハンドル１１、１２をそれ以上折り畳んだりして、コンパクトなものにすることができず、持ち運ぶときや保管しておくときに嵩が高くなり、持ち運びや保管に不便であるという問題点を有していた。
【０００５】
そこで、この発明は、上記従来の問題点を解決することをその課題としており、切断力が強力な機構を維持しつつ、コンパクトなものに折り畳むことができるようにして、持ち運びや保管に非常に便利な切断具を提供することを目的としてなされたものである。
【課題を解決するための手段】
【０００６】
そのため、この発明の切断具は、中間部を回動自在に連結した一対の切断部材１、２と、先端部を回動自在に連結した一対のハンドル３、４とからなり、前記ハンドル３、４の連結部Ｃ1 が切断部材１、２の略下半部で囲まれる空間Ｓを出入りするようにして、前記切断部材１、２の後端部をハンドル３、４の中間部に回動自在に連結したものとし、前記ハンドル３、４を回動操作して折り返したときに、ハンドル３、４が切断部材１、２の外側部に沿うようにしている。
【０００７】
すなわち、この発明の切断具は、中間部を約９０度までの回動角で回動自在に連結した一対の切断部材１、２と、先端部を約３６０度までの回動角で回動自在に連結した一対のハンドル３、４とからなり、前記ハンドル３、４の連結部Ｃ1 が切断部材１、２の略下半部で囲まれる空間Ｓを出入りするようにして、前記切断部材１、２の後端部をハンドル３、４の中間部に約１８０度までの回動角で回動自在に連結したものとし、前記ハンドル３、４の先端部の回動角が３６０度に近付けるように回動操作することにより、ハンドル３、４が切断部材１、２の外側部に沿うようにしている。
【０００８】
そして、この発明の切断具は、前記切断部材１、２のそれぞれの長さＬ1 と、ハンドル３、４の中間部の連結部Ｃ2 からハンドル３、４の後端部までのそれぞれの長さＬ2 を略同一寸法にしている。
【発明の効果】
【０００９】
この発明の切断具は、以上に述べたように構成されているので、切断力が強力な機構を維持しつつ、コンパクトなものに折り畳むことができるようになり、持ち運びや保管に非常に便利なものとなった。
【発明を実施するための最良の形態】
【００１０】
以下、この発明の切断具を実施するための最良の形態を、図面に基づいて詳細に説明する。
【００１１】
この発明の切断具は、図１〜図９に示したように、中間部を回動自在に連結した一対の切断部材１、２と、先端部を回動自在に連結した一対のハンドル３、４とからなり、前記ハンドル３、４の連結部Ｃ1 が切断部材１、２の略下半部で囲まれる空間Ｓを出入りするようにして、前記切断部材１、２の後端部をハンドル３、４の中間部に回動自在に連結したものとしている。そして、前記ハンドル３、４を回動操作して折り返したときに、ハンドル３、４が切断部材１、２の外側部に沿うようにしている。
【００１２】
すなわち、この発明の切断具は、中間部を約９０度までの回動角で回動自在に連結した一対の切断部材１、２と、先端部を約３６０度までの回動角で回動自在に連結した一対のハンドル３、４とからなり、前記ハンドル３、４の先端の連結部Ｃ1 が切断部材１、２の略下半部で囲まれる空間Ｓを出入りするようにして、前記切断部材１、２の後端部をハンドル３、４の中間部に約１８０度までの回動角で回動自在に連結したものとしている。そして、前記ハンドル３、４の先端部の回動角が３６０度に近付けるように回動操作することにより、ハンドル３、４が切断部材１、２の外側部に沿うようにしている。なお、前記ハンドル３、４の先端部の回動角が１８０度までの回動操作では、従来の切断具と同様に切断動作を行うようにしている。
【００１３】
前記切断部材１、２およびハンドル３、４は、長尺の平板状に形成され、切断部材１の下側に切断部材２が軸支されて両者は約９０度までの回動角（図に示したものは切断部材１、２およびハンドル３、４の横幅の関係で約７０度にしている）で回動自在に連結され、ハンドル３の上側にハンドル４が軸支されて両者は約３６０度までの回動角（図に示したものは切断部材１、２およびハンドル３、４の横幅の関係で約３２０度にしている）で回動自在に連結され、切断部材１の下側にハンドル３が軸支されて両者は約１８０度までの回動角で回動自在に連結され、切断部材２の上側にハンドル４が軸支されて両者は約１８０度までの回動角（図に示したものは切断部材１、２およびハンドル３、４の幅の関係でそれぞれ約１６０度にしている）で回動自在に連結されている。
【００１４】
そして、この発明の切断具は、切断部材１、２のそれぞれの長さＬ1 と、ハンドル３、４の中間部の連結部Ｃ2 からハンドル３、４の後端部までのそれぞれの長さＬ2 を略同一寸法にしている。このようにすると、ハンドル３、４を折り返したとき（ハンドル３、４を約３２０度の回動角にしたとき）、ハンドル３、４の後端部と切断部材１、２の先端部が略同位置となり、ハンドル３、４または切断部材１、２の一方が突き出すことなく、図５、図９に示したように、ハンドル３、４が切断部材１、２の外側部に沿うようになる。
【００１５】
図１〜図５に示したものでは、前記切断部材１は、先端部側に受部１ａを有したものとし、この受部１ａは、空間部Ｓａを有して受体１ｂが重ね合わされ、これらの先端部寄りの内側に凹溝５を２個所に設け、後端部寄りの内側に凹溝５を１個所に設けたものとしている。前記切断部材２は、先端部側に刃部２ａを有したものとし、この刃部２ａは直線状または曲線状の切刃とし、この切断部材２の刃部２ａが前記切断部材１の空間部Ｓａに入り込み、前記凹溝５を横切ることにより、被切断物である野縁やエアコンダクト（図示せず）などが切断されるようにしている。また、前記切断部材１の受部１ａは、受体１ｂが重ね合わされることなく、この受部１ａのみの先端部寄りの内側に凹溝５を２個所に設け、後端部寄りの内側に凹溝５を１個所に設けたものとし、前記切断部材２の刃部２ａがこれら凹溝５を横切ることにより、被切断物である野縁やエアコンダクト（図示せず）などが切断されるようにしてもよい。なお、前記切断部材１の受部１ａおよび受体１ｂの先端部寄りの内側には凹溝５を２個所に設けたものとしたが、これを１個所としても、３個所以上としてもよく、また前記受部１ａおよび受体１ｂの後端部寄りの内側には凹溝５を１個所に設けたものとしたが、これを２個所以上としてもよい。すなわち、前記凹溝５は、被切断物である野縁やエアコンダクトなどの大きさによって、受部１ａおよび受体１ｂの適切な個所に設ければよく、その設ける個数も限定されることはない。
【００１６】
さらに、図６〜図９に示したものでは、前記切断部材１、２は、先端部側にそれぞれ刃部２ａ、２ａを有したものとし、これら刃部２ａ、２ａは直線状または曲線状の切刃としている。そして、この切断部材１の刃部２ａ、２ａが交差することにより、被切断物であるパイプ、電線、庭木の枝（図示せず）などが切断されるようにしている。
【００１７】
前記ハンドル３、４の後端部は、ゴムや合成樹脂などが被覆されたグリップ部３ａ、４ａとしている。
【００１８】
この発明の切断具は、以上に述べたように構成されており、被切断物である野縁やエアコンダクトを切断したり、パイプ、電線、庭木の枝などを切断するには、図１、図６に示したように、ハンドル３、４が閉じた状態から、使用者がハンドル３、４のグリップ部３ａ、４ａを持って、ハンドル３、４を約１８０度までの回動角（図示したものでは約１６０度まで）に開くことにより、切断部材１、２を約９０度までの回動角（図示したものでは約７０度まで）に開き、被切断物を受部１ａと刃部２ａの間に挟む。被切断物がパイプ、電線、庭木の枝などの場合には、図６〜図９に示した切断具を用いて、単に刃部２ａ、２ａの間に挟めばよいが、被切断物が野縁やエアコンダクトの場合には、図１〜図５に示した切断具を用いて、野縁やエアコンダクトの大きさにより、これらの一方の突出部を受部１ａの先端部寄りの凹溝５の何れかに入れ、他方の突出部を受部１ａの後端部寄りの凹溝５に入れて、受部１ａと刃部２ａとの間に挟む。そして、前記ハンドル３、４を図１または図６に示すように、約３０度の回動角に閉めることにより、切断部材１、２を交差させて、切断部材１、２の間に挟んだ被切断物を切断する。なお、この発明の切断具では、切断部材１、２とハンドル３、４とが４節リンク機構を構成しているため、切断力が強力なものとなるのは言うまでもない。
【００１９】
次に、この発明の切断具を持ち運んだり、保管しておくときには、使用者がハンドル３、４のグリップ部３ａ、４ａを持って、ハンドル３、４間を広げ、図４、図８に示したように、回動角を３６０度に近付けるように回動操作することにより、ハンドル３、４が切断部材１、２の外側部に沿うようにする。この状態では、ハンドル３、４が切断部材１、２側に折り返された状態となっているので、非常にコンパクトなものとなり、持ち運びや保管に便利なものとなる。
【図面の簡単な説明】
【００２０】
【図１】この発明の切断具の一実施形態を示しており、ハンドルを閉じた状態で表側から見たときの斜視図である。
【図２】図１に示すこの発明の切断具を裏側から見たときの斜視図である。
【図３】図１に示すこの発明の切断具のハンドルの操作状態を示す説明図である。
【図４】図１に示すこの発明の切断具のハンドルの操作状態を示す説明図である。
【図５】図１に示すこの発明の切断具のハンドルを折り返した状態を示す斜視図である。
【図６】この発明の切断具の他の実施形態を示しており、ハンドルを閉じた状態で表側から見たときの斜視図である。
【図７】図６に示すこの発明の切断具のハンドルの操作状態を示す説明図である。
【図８】図６に示すこの発明の切断具のハンドルの操作状態を示す説明図である。
【図９】図６に示すこの発明の切断具のハンドルを折り返した状態を示す斜視図である。
【図１０】従来の切断具の一例を示す正面図である。
【図１１】図１０に示す従来の切断具のハンドルを開いた状態を示す正面図である。
【図１２】図１０に示す従来の切断具の要部の拡大正面図である。
【符号の説明】
【００２１】
１  切断部材
２  切断部材
３  ハンドル
４  ハンドル
Ｃ1   連結部
Ｃ2   連結部
Ｓ  空間
Ｌ1   長さ
Ｌ2   長さ
【図１】
2006034338.tif 000003
【図２】
2006034338.tif 000004
【図３】
2006034338.tif 000005
【図４】
2006034338.tif 000006
【図５】
2006034338.tif 000007
【図６】
2006034338.tif 000008
【図７】
2006034338.tif 000009
【図８】
2006034338.tif 000010
【図９】
2006034338.tif 000011
【図１０】
2006034338.tif 000012
【図１１】
2006034338.tif 000013
【図１２】
2006034338.tif 000014